(57)【特許請求の範囲】
【請求項１】
マシンルームレスのエレベータにおいてかごを昇降路で昇降させる駆動部を制御する制御盤を旧制御盤から新制御盤に交換するときに臨時で使用される制御装置であって、
前記旧制御盤の取り外しに適した前記かごの位置である第１のかご位置と、前記新制御盤の取り付けに適した前記かごの位置である第２のかご位置と、を記憶する記憶部と、
前記制御装置と接続され前記かごを移動させる方向を指示するための操作部から前記かごを前記第１のかご位置に移動させる旨の操作信号を入力した場合であって、前記かごの位置を検出する検出部から前記かごの現在位置の検出信号を入力したときに、前記かごを前記現在位置から前記第１のかご位置に移動させるための制御量を算出し、
前記操作部から前記かごを前記第２のかご位置に移動させる旨の操作信号を入力した場合であって、前記検出部から前記かごの現在位置の検出信号を入力したときに、前記かごを前記現在位置から前記第２のかご位置に移動させるための制御量を算出する算出部と、
前記算出部によって算出された前記制御量に基づいて前記駆動部を制御して前記かごを移動させる制御部と、を備える制御装置。
【請求項２】
マシンルームレスのエレベータにおいてかごを昇降路で昇降させる駆動部を制御する制御盤を旧制御盤から新制御盤に交換するときに臨時で使用される制御装置であって、
前記旧制御盤の取り外しから前記新制御盤の取り付けまでの複数の作業手順と、前記作業手順ごとに適した前記かごの位置と、を対応付けたかご位置情報を記憶する記憶部と、
前記制御装置と接続され前記かごを移動させる方向を指示するための操作部から前記作業手順を特定する操作信号を入力した場合に、前記かごの位置を検出する検出部から入力した前記かごの現在位置の検出信号と前記かご位置情報とに基づいて、前記かごを前記現在位置から当該作業手順に対応する前記かごの位置に移動させるための制御量を算出する算出部と、
前記算出部によって算出された前記制御量に基づいて前記駆動部を制御して前記かごを移動させる制御部と、を備える制御装置。
【請求項３】
前記制御部は、前記かごを移動させる方向が、前記駆動部を制御していないときに前記かごが自然に移動する方向と逆方向の場合のみ、前記駆動部を制御して前記かごを移動させる、請求項１に記載の制御装置。
【発明の詳細な説明】
【技術分野】
【０００１】
本発明の実施形態は、制御装置に関する。
【背景技術】
【０００２】
近年、エレベータにおいてかごを昇降路で昇降させる駆動部を制御する制御盤は、技術開発により、小型化や多機能化が進められている。また、制御盤における各構成部品（各種処理基板等）について、新型のものは、通信インタフェース規格や信号形式等の面で従来型のものと互換性を有しない場合が多い。そのため、エレベータの制御盤をリニューアルする場合、制御盤の全体を交換することが多い。
【０００３】
また、マシンルームレスのエレベータでは、一般に、制御盤や巻上機などの機器は昇降路の上部に設置されている。したがって、旧制御盤を新制御盤に交換する場合、例えば、作業者はかごの上に乗ってその交換作業をすることになる。
【先行技術文献】
【特許文献】
【０００４】
【特許文献１】特開２０１３−０１４３９５号公報
【特許文献２】特開２０１１−０６８４３７号公報
【発明の概要】
【発明が解決しようとする課題】
【０００５】
上述のように、作業者がかごの上に乗って昇降路の上部で旧制御盤を新制御盤に交換する場合、作業者が作業を行う高さ位置は常に同じではなく高低差がある。しかしながら、旧制御盤を取り外してから新制御盤を取り付けるまでは、駆動部を制御できないため、かごを移動させることができず、作業者にとって不便であった。
【０００６】
そこで、本発明は、上記事情に鑑みてなされたものであって、マシンルームレスのエレベータの昇降路において作業者が旧制御盤を新制御盤に交換するときに、かごを移動させることができる制御装置を提供することを目的とする。
【課題を解決するための手段】
【０００７】
実施形態の制御装置は、マシンルームレスのエレベータにおいてかごを昇降路で昇降させる駆動部を制御する制御盤を旧制御盤から新制御盤に交換するときに臨時で使用される制御装置であって、前記旧制御盤の取り外しに適した前記かごの位置である第１のかご位置と、前記新制御盤の取り付けに適した前記かごの位置である第２のかご位置と、を記憶する記憶部と、前記制御装置と接続され前記かごを移動させる方向を指示するための操作部から前記かごを前記第１のかご位置に移動させる旨の操作信号を入力した場合であって、前記かごの位置を検出する検出部から前記かごの現在位置の検出信号を入力したときに、前記かごを前記現在位置から前記第１のかご位置に移動させるための制御量を算出し、前記操作部から前記かごを前記第２のかご位置に移動させる旨の操作信号を入力した場合であって、前記検出部から前記かごの現在位置の検出信号を入力したときに、前記かごを前記現在位置から前記第２のかご位置に移動させるための制御量を算出する算出部と、  前記算出部によって算出された前記制御量に基づいて前記駆動部を制御して前記かごを移動させる制御部と、を備える。
【図面の簡単な説明】
【０００８】
【図１】図１は、実施形態のエレベータ制御システムの概略構成を示すブロック図である。
【図２】図２は、実施形態のかご位置情報の例を示す構成図である。
【図３】図３は、実施形態の制御装置における処理を示すフローチャートである。
【発明を実施するための形態】
【０００９】
以下に、本発明のエレベータ制御システムの実施形態を図面に基づいて詳細に説明する。なお、以下の実施形態により本発明が限定されるものではない。また、本実施形態では、マシンルームレスのエレベータを対象とする。
【００１０】
図１は、実施形態のエレベータ制御システムＳの概略構成を示すブロック図である。エレベータ制御システムＳは、かご１と、駆動部２と、カウンタウェイト３と、ロープ４と、旧制御盤５と、新制御盤６と、かご位置検出装置７（検出部）と、制御装置８と、操作部９と、を備える。なお、図１で示している場所は、エレベータの昇降路の上部である。
【００１１】
かご１とカウンタウェイト３は、ロープ４で連結されている。そのロープ４は、駆動部２に掛けられている。駆動部２は、例えば巻上機であり、駆動することでかご１を昇降路で昇降させる。
【００１２】
ここでは、駆動部２を制御する制御盤を、旧制御盤５から新制御盤６に交換することを前提とする。その場合に、臨時で制御装置８を使用する。制御装置８は、旧制御盤５から抜いた配線を接続されて動作する構成となっている。
【００１３】
制御装置８は、例えば、半導体素子や集積回路等から構成される基板で、各種信号を送受信したり、各種情報を記憶したり、各種演算処理を実行したりする。制御装置８は、主な構成として、処理部８１と、記憶部８２と、を備える。記憶部８２は、例えば、ＲＡＭ（Random  Access  Memory）、ＲＯＭ（Read  Only  Memory）等から構成され、各種情報を記憶する。
【００１４】
処理部８１は、例えば、ＣＰＵ（Central  Processing  Unit）によって構成され、各種演算処理を実行する。処理部８１は、主な機能部として、取得部８１１と、算出部８１２と、制御部８１３と、を備える。また、操作部９は、制御装置８と接続され、かご１を移動させる方向を指示するための操作入力装置である。
【００１５】
取得部８１１は、外部装置から各種信号を取得する。取得部８１１は、例えば、かご位置検出装置７からかご位置の検出信号を取得したり、操作部９から操作信号を取得したりする。
【００１６】
ここで、例えば、記憶部８２が、旧制御盤５の取り外しに適したかご１の位置である第１のかご位置と、新制御盤６の取り付けに適したかご１の位置である第２のかご位置と、を記憶しているものとする。その場合、算出部８１２は、操作部９からかご１を第１のかご位置に移動させる旨の操作信号を入力した場合であって、かご位置検出装置７からかご１の現在位置の検出信号を入力したときに、かご１を現在位置から第１のかご位置に移動させるための制御量を算出する。また、算出部８１２は、操作部９からかご１を第２のかご位置に移動させる旨の操作信号を入力した場合であって、かご位置検出装置７からかご１の現在位置の検出信号を入力したときに、かご１を現在位置から第２のかご位置に移動させるための制御量を算出する。そして、制御部８１３は、算出部８１２によって算出された制御量に基づいて駆動部２を制御してかご１を移動させる。
【００１７】
より具体的には、以下の通りである。記憶部８２が、図２に示すかご位置情報を記憶しているものとする。図２は、実施形態のかご位置情報の例を示す構成図である。かご位置情報では、作業対象装置と、作業手順と、かご位置と、が対応付けて記憶されている。作業対象装置は、旧制御盤５と新制御盤６である。
【００１８】
作業手順は、旧制御盤５と新制御盤６のそれぞれに対応付けられている。つまり、複数の作業手順は、旧制御盤５の取り外しから新制御盤６の取り付けまでの作業手順を示している。そして、作業手順（作業手順Ａ１、Ａ２、・・・）ごとに、作業に適したかご位置（かご位置ｘＡ１、ｘＡ２、・・・）が対応付けられている。かご位置は、かご１の鉛直方向の位置を示す。
【００１９】
なお、図１において、範囲Ｌ１は、旧制御盤５に対する作業を行う場合の高さ位置の範囲である。また、範囲Ｌ２は、新制御盤６に対する作業を行う場合の高さ位置の範囲である。また、範囲Ｌ３は、範囲Ｌ１と範囲Ｌ２の両方を含む範囲である。
【００２０】
算出部８１２は、操作部９から作業手順を特定する操作信号を入力した場合に、かご位置検出装置７から入力したかご１の現在位置の検出信号とかご位置情報（図２）に基づいて、かご１を現在位置から当該作業手順に対応するかご１の位置に移動させるための制御量を算出する。そして、制御部８１３は、算出部８１２によって算出された制御量に基づいて駆動部２を制御してかご１を移動させる。
【００２１】
また、制御部８１３は、かご１を移動させる方向が、駆動部２を制御していないときにかご１が自然に移動する方向（以下、「正方向」ともいう。）と逆方向の場合のみ、駆動部２を制御してかごを移動させるようにしてもよい。そうすれば、かご１を移動させる方向が正方向の場合には、駆動部２を駆動するための電力が不要になるだけでなく、駆動部２におけるモータ（不図示）を発電機として機能させて回生発電を行うことができる。
【００２２】
次に、図３を参照して、実施形態の制御装置８における処理等について説明する。図３は、実施形態の制御装置８における処理を示すフローチャートである。まず、作業者Ｍ（図２）は、新制御盤６と制御装置８と操作部９を所持してかご１の上に乗る。その後、旧制御盤５による駆動部２の制御により、かご１は旧制御盤５の近傍の所定位置まで移動して停止する。
【００２３】
次に、作業者Ｍは、制御装置８を昇降路の近傍の壁に設置する。次に、作業者Ｍは、旧制御盤５から配線を抜いて、その配線を制御装置８に差す。これにより、制御装置８による駆動部２の制御が可能となる。つまり、制御装置８は、旧制御盤５から抜いた配線が届く範囲に設置する必要がある。
【００２４】
そして、ステップＳ１において、制御装置８の取得部８１１は、制御装置８に接続された操作部９による操作があったか、つまり、操作部９から操作信号を入力したか否かを判定し、Ｙｅｓの場合はステップＳ２に進み、Ｎｏの場合はステップＳ１に戻る。ここで、例えば、作業者Ｍが、操作部９を操作して、旧制御盤５を取り外すための作業手順Ａ１（図２）を指定したものとする。そうすると、ステップＳ１でＹｅｓとなる。
【００２５】
ステップＳ２において、算出部８１２は、作業手順（作業手順Ａ１）を特定し、かご位置検出装置７から入力したかご１の現在位置の検出信号とかご位置情報（図２）に基づいて、かご１を現在位置から当該作業手順に対応するかご１の位置（かご位置ｘＡ１）に移動させるための制御量を算出する。
【００２６】
次に、ステップＳ３において、制御部８１３は、作業手順に対応するかご位置にかご１を移動する。つまり、制御部８１３は、ステップＳ２で算出された制御量に基づいて駆動部２を制御してかご１を移動させる。ステップＳ３の後、ステップＳ１に戻る。
【００２７】
このようにして、作業者Ｍは、作業手順ごとに操作部９で作業手順を指定するだけで、その作業手順（作業手順Ａ１、Ａ２、・・・）にとって適切な位置（かご位置ｘＡ１、ｘＡ２、・・・）にかご１を移動させることができる。
【００２８】
そして、すべての作業手順の作業が終わった後、作業者Ｍは、制御装置８から配線を抜いて、その配線を新制御盤６に差す。これにより、新制御盤６による駆動部２の制御が可能となる。
【００２９】
従来技術では、マシンルームレスのエレベータにおける制御盤の交換作業は、狭く、暗く、かごの上というすでに用品が設置されている足場の不安定な場所で重量物を扱う作業であり、作業者に大きな負担を強いていた。また、作業者が作業を行う高さ位置は常に同じではなく高低差があるが、旧制御盤を取り外してから新制御盤を取り付けるまでは、駆動部を制御できないため、かごを移動させることができず、作業者にとって不便であった。
【００３０】
一方、本実施形態のエレベータ制御システムＳによれば、旧制御盤５を新制御盤６に交換する場合に、臨時で制御装置８を使用して、操作部９から入力した操作信号に基づいて駆動部２を制御してかご１を移動させる。これにより、作業者は、旧制御盤５を取り外すときや新制御盤６を取り付けるときに、作業しやすいようにかご１の位置を変えることができる。
【００３１】
具体的には、例えば、図２に示すようなかご位置情報を用いることで、作業手順に対応したかご位置にかご１を容易に移動できる。
【００３２】
したがって、作業性の向上や、制御盤のリニューアル工事の時間短縮を図ることができる。例えば、作業経験の少ない作業者が作業する場合、作業者は、各作業手順におけるかご１の適切な位置がすぐにはわからない。しかし、本実施形態の手法を用いることで、作業者は、操作部９で作業手順を指定するだけで、かご１が適切な位置に移動するので、作業効率が向上する。
【００３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００３４】
例えば、かご１の速度からかご１の移動に必要な時間を算出しておき、作業者による操作部９での１回の操作で、かご１をスムーズに移動させることができる。つまり、かご１が上下移動を繰り返すことがないようにすることで、かご１の移動効率を向上させるとともに、かご１に乗っている作業者の安全性をより向上させることができる。
【００３５】
また、交換作業前に予めＶＲ（Virtual  Reality）やＡＲ（Augmented  Reality）の技術を用いて交換作業のシミュレーションをしておくことで、各作業手順におけるかご１の適切な位置を算出し、制御装置８の記憶部８２に記憶させておいてもよい。
【符号の説明】
【００３６】
１…かご、２…駆動部、３…カウンタウェイト、４…ロープ、５…旧制御盤、６…新制御盤、７…かご位置検出装置、８…制御装置、９…操作部、８１…処理部、８２…記憶部、８１１…取得部、８１２…算出部、８１３…制御部 
【要約】
【課題】マシンルームレスのエレベータの昇降路において作業者が旧制御盤を新制御盤に交換するときに、かごを移動させる。
【解決手段】実施形態の制御装置は、マシンルームレスのエレベータにおいてかごを昇降路で昇降させる駆動部を制御する制御盤を旧制御盤から新制御盤に交換するときに臨時で使用される。記憶部は、旧制御盤の取り外しに適したかごの位置である第１のかご位置と、新制御盤の取り付けに適したかごの位置である第２のかご位置と、を記憶する。算出部は、例えば、制御装置と接続されかごを移動させる方向を指示するための操作部からかごを第１のかご位置に移動させる旨の操作信号を入力した場合であって、かごの位置を検出する検出部からかごの現在位置の検出信号を入力したときに、かごを現在位置から第１のかご位置に移動させるための制御量を算出する。制御部は、その制御量に基づいて駆動部を制御してかごを移動させる。
【選択図】図１【図１】
0006972249.tif 000002
【図２】
0006972249.tif 000003
【図３】
0006972249.tif 000004